【手続補正書】
【提出日】平成25年9月19日(2013.9.19)
【手続補正１】
【補正対象書類名】特許請求の範囲
【補正対象項目名】全文
【補正方法】変更
【補正の内容】
【特許請求の範囲】
【請求項１】
少なくとも着色剤（Ａ）、分散剤（Ｂ）及び透明樹脂（Ｃ）を含有するカラーフィルタ用着色組成物において、該着色剤（Ａ）が２０℃での蒸気圧が０．０１ｍｍＨｇ以下でかつ融点が４０℃以下の水酸基を有する多価アルコール類（Ｄ）で処理された有機顔料（Ｅ）であって、かつ着色剤（Ａ）に含まれる多価アルコール類（Ｄ）の比率が着色剤（Ａ）中の有機顔料（Ｅ）に対して０．０１重量％から７重量％であることを特徴とするカラーフィルタ用着色組成物。
【請求項２】
多価アルコール類（Ｄ）がグリセリン、ポリエチレングリコール２００、ポリエチレングリコール３００、ポリエチレングリコール４００、ポリエチレングリコール６００、およびポリエチレングリコール１０００からなる群より選ばれる少なくとも１種であることを特徴とする請求項１記載のカラーフィルタ用着色組成物。
【請求項３】
有機顔料（Ｅ）を多価アルコール類（Ｄ）で湿式処理することを特徴とする請求項１または２に記載のカラーフィルタ用着色組成物の製造方法。
【請求項４】
少なくとも１つの赤色フィルタセグメント、少なくとも１つの青色フィルタセグメント、および少なくとも１つの緑色フィルタセグメントを具備するカラーフィルタであって、前記少なくとも１つのフィルタセグメントが、請求項１〜３いずれかに記載の着色組成物から形成されているカラーフィルタ。
【手続補正２】
【補正対象書類名】明細書
【補正対象項目名】００２３
【補正方法】変更
【補正の内容】
【００２３】
以下、本発明を詳細に説明する。本発明のカラーフィルタ用着色組成物は、少なくとも着色剤（Ａ）、分散剤（Ｂ）及び透明樹脂（Ｃ）を有するカラーフィルタ用着色組成物において、該着色剤（Ａ）が２０℃での蒸気圧が０．０１ｍｍＨｇ以下でかつ融点が４０℃以下の水酸基を有する多価アルコール類（Ｄ）で処理された有機顔料（Ｅ）であって、かつ着色剤（Ａ）に含まれる多価アルコール類（Ｄ）の比率が着色剤（Ａ）中の有機顔料（Ｅ）に対して０．０１重量％から７重量％である化合物を含む着色成分を使用するカラーフィルタ用着色組成物である。
【手続補正３】
【補正対象書類名】明細書
【補正対象項目名】００３６
【補正方法】変更
【補正の内容】
【００３６】
多価アルコール類（Ｄ）の含有量は有機顔料（Ｅ）に対して０．０１重量％から７重量％の間が好ましく、０．０１重量％から５重量％の間が更に好ましく、０．０５重量％から３重量％の間が特に好ましい。含有量が０．０１重量％未満の場合は顔料の凝集を防ぐ効果が発揮できず難分散となってしまい、７重量％より多い場合はレジストの乾燥性や耐溶剤性に悪影響を及ぼす。
【手続補正４】
【補正対象書類名】明細書
【補正対象項目名】０１０３
【補正方法】変更
【補正の内容】
【０１０３】
精製水１０部に工程例６で得たＰｉｇｍｅｎｔ Ｒｅｄ２５４を１部加え、超音波で１時間分散して上澄みをエバポレーターで１０倍に濃縮してから、検出器として示唆屈折検出器を用いたＨＰＬＣで分析したところ、顔料中に１％のポリエチレングリコール２００が存在することが分かった。
【手続補正５】
【補正対象書類名】明細書
【補正対象項目名】０１０５
【補正方法】変更
【補正の内容】
【０１０５】
精製水１０部に工程例７で得たＰｉｇｍｅｎｔ Ｒｅｄ１７７を１部加え、超音波で１時間分散して上澄みをＧＣで分析したところ、顔料中に１％のグリセリンが存在することが分かった。
【手続補正６】
【補正対象書類名】明細書
【補正対象項目名】０１０７
【補正方法】変更
【補正の内容】
【０１０７】
精製水１０部に工程例８で得たＰｉｇｍｅｎｔ Ｇｒｅｅｎ３６を１部加え、超音波で１時間分散して上澄みをＧＣで分析したところ、顔料中に１％のグリセリンが存在することが分かった。
【手続補正７】
【補正対象書類名】明細書
【補正対象項目名】０１０９
【補正方法】変更
【補正の内容】
【０１０９】
精製水１０部に工程例９で得たＰｉｇｍｅｎｔ Ｂｌｕｅ１５：６を１部加え、超音波で１時間分散して上澄みをＧＣで分析したところ、顔料中に１％のグリセリンが存在することが分かった。
【手続補正８】
【補正対象書類名】明細書
【補正対象項目名】０１１１
【補正方法】変更
【補正の内容】
【０１１１】
精製水１０部に工程例１０で得たＰｉｇｍｅｎｔ Ｖｉｏｌｅｔ２３を１部加え、超音波で１時間分散して上澄みをＧＣで分析したところ、顔料中に１％のグリセリンが存在することが分かった。
【手続補正９】
【補正対象書類名】明細書
【補正対象項目名】０１１３
【補正方法】変更
【補正の内容】
【０１１３】
精製水１０部に工程例１１で得たＰｉｇｍｅｎｔ Ｒｅｄ２４２を１部加え、超音波で１時間分散して上澄みをエバポレーターで１０倍に濃縮してから、検出器として示唆屈折検出器を用いたＨＰＬＣで分析したところ、顔料中に１％のポリエチレングリコール６００が存在することが分かった。
【手続補正１０】
【補正対象書類名】明細書
【補正対象項目名】０１１５
【補正方法】変更
【補正の内容】
【０１１５】
精製水１０部に工程例１２で得たＰｉｇｍｅｎｔ Ｙｅｌｌｏｗ１３８を１部加え、超音波で１時間分散して上澄みをエバポレーターで１０倍に濃縮してから、検出器として示唆屈折検出器を用いたＨＰＬＣで分析したところ、顔料中に１％のポリエチレングリコール６００が存在することが分かった。
【手続補正１１】
【補正対象書類名】明細書
【補正対象項目名】０１１７
【補正方法】変更
【補正の内容】
【０１１７】
精製水１０部に工程例１３で得たＰｉｇｍｅｎｔ Ｙｅｌｌｏｗ１３９を１部加え、超音波で１時間分散して上澄みをエバポレーターで１０倍に濃縮してから、検出器として示唆屈折検出器を用いたＨＰＬＣで分析したところ、顔料中に１％のポリエチレングリコール２００が存在することが分かった。
【手続補正１２】
【補正対象書類名】明細書
【補正対象項目名】０１１９
【補正方法】変更
【補正の内容】
【０１１９】
精製水１０部に工程例１４で得たＰｉｇｍｅｎｔ Ｙｅｌｌｏｗ１５０を１部加え、超音波で１時間分散して上澄みをエバポレーターで１０倍に濃縮してから、検出器として示唆屈折検出器を用いたＨＰＬＣで分析したところ、顔料中に１％のポリエチレングリコール１０００が存在することが分かった。
【手続補正１３】
【補正対象書類名】明細書
【補正対象項目名】０１２１
【補正方法】変更
【補正の内容】
【０１２１】
精製水１０部に工程例１５で得たＰｉｇｍｅｎｔ Ｇｒｅｅｎ５８を１部加え、超音波で１時間分散して上澄みをエバポレーターで１０倍に濃縮してから、検出器として示唆屈折検出器を用いたＨＰＬＣで分析したところ、顔料中に１％のポリエチレングリコール２００が存在することが分かった。
【手続補正１４】
【補正対象書類名】明細書
【補正対象項目名】０１２５
【補正方法】変更
【補正の内容】
【０１２５】
着色組成物一覧（１）
【表１】
2012177718.tif 000001
【手続補正１５】
【補正対象書類名】明細書
【補正対象項目名】０１２６
【補正方法】変更
【補正の内容】
【０１２６】
＜着色組成物２から１１の作製＞
着色組成物１と同様に作製した。
【手続補正１６】
【補正対象書類名】明細書
【補正対象項目名】０１２８
【補正方法】変更
【補正の内容】
【０１２８】
着色組成物一覧（２）
【表２】
2012177718.tif 000002
【手続補正１７】
【補正対象書類名】明細書
【補正対象項目名】０１２９
【補正方法】変更
【補正の内容】
【０１２９】
＜着色組成物１３から１６の作製＞
着色組成物１２と同様に作製した。
【手続補正１８】
【補正対象書類名】明細書
【補正対象項目名】０１３１
【補正方法】変更
【補正の内容】
【０１３１】
着色組成物一覧（３）
【表３】
2012177718.tif 000003
【手続補正１９】
【補正対象書類名】明細書
【補正対象項目名】０１３２
【補正方法】変更
【補正の内容】
【０１３２】
＜着色組成物１８から２１の作製＞
着色組成物１７と同様に作製した。
【手続補正２０】
【補正対象書類名】明細書
【補正対象項目名】０１３４
【補正方法】変更
【補正の内容】
【０１３４】
着色組成物一覧（４）
【表４】
2012177718.tif 000004
【手続補正２１】
【補正対象書類名】明細書
【補正対象項目名】０１３５
【補正方法】変更
【補正の内容】
【０１３５】
＜着色組成物２３から３２の作製＞
着色組成物２２と同様に作製した。
【手続補正２２】
【補正対象書類名】明細書
【補正対象項目名】０１３７
【補正方法】変更
【補正の内容】
【０１３７】
着色組成物一覧（５）
【表５】
2012177718.tif 000005
【手続補正２３】
【補正対象書類名】明細書
【補正対象項目名】０１３８
【補正方法】変更
【補正の内容】
【０１３８】
＜着色組成物３４から４４の作製＞
着色組成物３３と同様に作製した。
【手続補正２４】
【補正対象書類名】明細書
【補正対象項目名】０１４０
【補正方法】変更
【補正の内容】
【０１４０】
着色組成物一覧（６）
【表６】
2012177718.tif 000006
【手続補正２５】
【補正対象書類名】明細書
【補正対象項目名】０１４１
【補正方法】変更
【補正の内容】
【０１４１】
＜着色組成物４６から４９の作製＞
着色組成物４５と同様に作製した。
【手続補正２６】
【補正対象書類名】明細書
【補正対象項目名】０１４３
【補正方法】変更
【補正の内容】
【０１４３】
着色組成物一覧（７）
【表７】
2012177718.tif 000007
【手続補正２７】
【補正対象書類名】明細書
【補正対象項目名】０１４４
【補正方法】変更
【補正の内容】
【０１４４】
＜着色組成物５１から５４の作製＞
着色組成物５０と同様に作製した。
【手続補正２８】
【補正対象書類名】明細書
【補正対象項目名】０１４６
【補正方法】変更
【補正の内容】
【０１４６】
着色組成物一覧（８）
【表８】
2012177718.tif 000008
【手続補正２９】
【補正対象書類名】明細書
【補正対象項目名】０１４７
【補正方法】変更
【補正の内容】
【０１４７】
＜着色組成物５５から６５の作製＞
着色組成物５５と同様に作製した。
【手続補正３０】
【補正対象書類名】明細書
【補正対象項目名】０１４９
【補正方法】変更
【補正の内容】
【０１４９】
着色組成物一覧（９）
【表９】
2012177718.tif 000009
【手続補正３１】
【補正対象書類名】明細書
【補正対象項目名】０１５０
【補正方法】変更
【補正の内容】
【０１５０】
＜着色組成物６７から７０の作製＞
着色組成物６６と同様に作製した。
【手続補正３２】
【補正対象書類名】明細書
【補正対象項目名】０１５２
【補正方法】変更
【補正の内容】
【０１５２】
着色組成物一覧（１０）
【表１０】
2012177718.tif 000010
【手続補正３３】
【補正対象書類名】明細書
【補正対象項目名】０１５３
【補正方法】変更
【補正の内容】
【０１５３】
＜着色組成物７２から７５の作製＞
着色組成物７１と同様に作製した。
【手続補正３４】
【補正対象書類名】明細書
【補正対象項目名】０１６１
【補正方法】変更
【補正の内容】
【０１６１】
Ｐｉｇｍｅｎｔ Ｒｅｄ ２５４評価結果
【表１１】
2012177718.tif 000011
【手続補正３５】
【補正対象書類名】明細書
【補正対象項目名】０１６２
【補正方法】変更
【補正の内容】
【０１６２】
Ｐｉｇｍｅｎｔ Ｒｅｄ １７７評価結果
【表１２】
2012177718.tif 000012
【手続補正３６】
【補正対象書類名】明細書
【補正対象項目名】０１６３
【補正方法】変更
【補正の内容】
【０１６３】
Ｐｉｇｍｅｎｔ Ｒｅｄ ２４２評価結果
【表１３】
2012177718.tif 000013
【手続補正３７】
【補正対象書類名】明細書
【補正対象項目名】０１６４
【補正方法】変更
【補正の内容】
【０１６４】
Ｐｉｇｍｅｎｔ Ｇｒｅｅｎ ３６評価結果
【表１４】
2012177718.tif 000014
【手続補正３８】
【補正対象書類名】明細書
【補正対象項目名】０１６５
【補正方法】変更
【補正の内容】
【０１６５】
Ｐｉｇｍｅｎｔ Ｂｌｕｅ １５：６評価結果
【表１５】
2012177718.tif 000015
【手続補正３９】
【補正対象書類名】明細書
【補正対象項目名】０１６６
【補正方法】変更
【補正の内容】
【０１６６】
Ｐｉｇｍｅｎｔ Ｙｅｌｌｏｗ １３８評価結果
【表１６】
2012177718.tif 000016
【手続補正４０】
【補正対象書類名】明細書
【補正対象項目名】０１６７
【補正方法】変更
【補正の内容】
【０１６７】
Ｐｉｇｍｅｎｔ Ｙｅｌｌｏｗ １３９評価結果
【表１７】
2012177718.tif 000017
【手続補正４１】
【補正対象書類名】明細書
【補正対象項目名】０１６８
【補正方法】変更
【補正の内容】
【０１６８】
Ｐｉｇｍｅｎｔ Ｙｅｌｌｏｗ １５０評価結果
【表１８】
2012177718.tif 000018
【手続補正４２】
【補正対象書類名】明細書
【補正対象項目名】０１６９
【補正方法】変更
【補正の内容】
【０１６９】
Ｐｉｇｍｅｎｔ Ｖｉｏｌｅｔ ２３評価結果
【表１９】
2012177718.tif 000019
【手続補正４３】
【補正対象書類名】明細書
【補正対象項目名】０１７０
【補正方法】変更
【補正の内容】
【０１７０】
Ｐｉｇｍｅｎｔ Ｇｒｅｅｎ ５８評価結果
【表２０】
2012177718.tif 000020